(57)【要約】      （修正有）【課題】クッション性及び静音性に優れ、構造が簡易なキャリアー用ホィールの提供。【解決手段】車軸に回転可能に装着され、円柱状に形成された車軸装着部１２と、ホイールの外縁を形成するとともに、内径が前記車軸装着部１２の外径よりも大きく形成された円筒状の外縁部１４と、前記車軸装着部の外周面１２Ａと外縁部の内周面１４Ａの間に、ホィールの周方向に等間隔に複数設けられ、ホイールの半径方向に伸縮可能な伸縮部と、該伸縮部毎に伸縮部の伸縮を制御する伸縮制御部１８と、を備え、伸縮部は、筒状で、隣接する他の伸縮部に向かって互いに円弧状に突出しており、隣接する円弧状の突出部の間に隙間２０を有し、伸縮制御部１８は、伸縮部内に、外縁が前記伸縮部の円弧状に沿って形成され、その外周面１８Ａのホィールの半径方向外側とそれに対向する伸縮部の内周面の間に隙間２２を有していることを特徴とする。【選択図】図１
2006103394.tif 000002
【特許請求の範囲】
【請求項１】
キャリアー用ホイールであって、
車軸に回転可能に装着され、該ホィールの中央部に円柱状に形成された車軸装着部と、
ホイールの外縁を形成するとともに、内径が前記車軸装着部の外径よりも大きく形成された円筒状の外縁部と、
前記車軸装着部の外周面と外縁部の内周面の間に、ホィールの周方向に等間隔をおいて複数設けられ、ホイールの半径方向に伸縮可能な伸縮部と、
該伸縮部毎に設けられ、前記伸縮部の伸縮を制御する伸縮制御部と、を備え、
前記伸縮部は、筒状に形成されるとともに、隣接する他の伸縮部に向かって互いに円弧状に突出しており、隣接する円弧状の突出部の間に隙間を有しており、
前記伸縮制御部は、前記伸縮部内に設けられ、外縁が前記伸縮部に沿って円弧状に形成されており、その外周面のホィールの半径方向外側とそれに対向する前記伸縮部の内周面の間に隙間を有していることを特徴とするキャリアー用ホイール。
【請求項２】
前記車軸装着部、前記外縁部、前記伸縮部及び前記伸縮制御部は、樹脂によって一体成型されていることを特徴とする請求項１記載のキャリアー用ホィール。
【請求項３】
前記隙間は、伸縮制御部を形成する円弧の半径方向が同一幅になるように形成されていることを特徴とする請求項１又は２記載のキャリアー用ホィール。
【発明の詳細な説明】
【技術分野】
【０００１】
本発明は、スーツケース、キャリーカート、台車、ショッピングカートなど手で押す又は引くことによって移動させて荷物を運搬するキャリアーに用いられるキャリアー用ホィールに関する。
【背景技術】
【０００２】
従来から、スーツケース、キャリーカート、台車、ショッピングカートなど手で押す又は引くことによって移動させて荷物を運搬するキャリアーがある。この種のキャリアーは、底面部に二つ、又は四つのホィールが設けられており、このホィールを回転させながら、押したり、引いたりすることによって、移動させて、運搬作業を行なうことができる（特許文献１）。
【０００３】
【特許文献１】特開２００３−１４６００３号公報
【発明の開示】
【発明が解決しようとする課題】
【０００４】
この種のキャリアーは、重いものを載せて運ぶものであるため、それについているキャリアー用ホィールは、耐久性に優れている必要があり、その反面、クッション性がない。そのため、従来のキャリアーは、運搬中に地面からホィールに与えられる衝撃が、そのままキャリアー本体に伝わり、精密構造の運搬物や破損しやすい運搬物などを破損させてしまう場合があり、またその衝撃によって、ホィールをスムーズに回転させることができないという問題がある。さらに、その衝撃により騒音を生じさせることがある。
【０００５】
また、ホィールの車軸にサスペンションなどを設けて、そのサスペンションによって、地面からホィールに与えられる衝撃を吸収することが考えられるが、構造が複雑になるとともに、キャリアー自身の重量が増大するという問題がある。
【０００６】
そこで、本発明は、クッション性、静音性及び耐久性に優れ、構造が簡易なキャリアー用ホィールを提供することを目的とする。
【課題を解決するための手段】
【０００７】
以上の目的を達成するため、本発明は、キャリアー用ホイールであって、車軸に回転可能に装着され、該ホィールの中央部に円柱状に形成された車軸装着部と、ホイールの外縁を形成するとともに、内径が前記車軸装着部の外径よりも大きく形成された円筒状の外縁部と、前記車軸装着部の外周面と外縁部の内周面の間に、ホィールの周方向に等間隔をおいて複数設けられ、ホイールの半径方向に伸縮可能な伸縮部と、該伸縮部毎に設けられ、前記伸縮部の伸縮を制御する伸縮制御部と、を備え、前記伸縮部は、筒状に形成されるとともに、隣接する他の伸縮部に向かって互いに円弧状に突出しており、隣接する円弧状の突出部の間に隙間を有しており、前記伸縮制御部は、前記伸縮部内に設けられ、外縁が前記伸縮部に沿って円弧状に形成されており、その外周面のホィールの半径方向外側とそれに対向する前記伸縮部の内周面の間に隙間を有していることを特徴とする。
【０００８】
以上のように、本発明に係るキャリアー用ホィールによれば、ホィールの外周面に衝撃が加わると、伸縮部の円弧状の突出部が隣接する突出部との間の隙間の範囲でその突出方向に撓み、その撓みによって、ホィールに加わった衝撃を吸収することができる。また、伸縮部は、伸縮制御部との間の隙間の範囲、すなわち伸縮制御部の外周面のホィールの半径方向外側が伸縮部の内周面に接する範囲で撓むことが可能であり、これ以上は撓むことができないので、許容以上の荷重や衝撃が加わってもホィールの剛性を保つことができる。
【０００９】
本発明に係るキャリアー用ホィールにおいて、前記車軸装着部、前記外縁部、前記伸縮部及び前記伸縮制御部は、樹脂によって一体成型されていることが好ましい。この樹脂は、柔軟性と剛性を備えていることが好ましく、例えば、ポリカーボネイドとガラス繊維の混合物、又はナイロンとガラス繊維の混合物などがある。
【００１０】
また、本発明に係るキャリアー用ホィールにおいて、前記伸縮部は、円筒状に形成されていることが好ましく、前記伸縮制御部は、円柱状に形成されていることが好ましい。また、前記伸縮部と伸縮制御部の間に形成された隙間は、伸縮制御部を形成する円弧の半径方向が同一幅になるように形成されていることが好ましく、このように円弧の半径方向が同一幅になるように形成することにより、ホィール回転中にホィールの外縁部と車軸の距離を一定に保つことができるので、運搬中の運搬物が上下に揺れることはない。
【発明の効果】
【００１１】
以上のように、本発明によれば、クッション性、静音性及び耐久性に優れ、構造が簡易なキャリアー用ホィールを提供することができる。
【発明を実施するための最良の形態】
【００１２】
次に、本発明に係るキャリアー用ホィールの実施例について図面に基づいて説明する。図１は、本実施例に係るキャリアー用ホィールの正面図であり、図２は、その斜視図である。本実施例に係るキャリアー用ホィール１０は、車軸に回転可能に装着され、ホィール中央部に円柱状に形成された車軸装着部１２と、ホイール１０の外縁を形成するとともに、内径が車軸装着部１２の外径よりも大きく形成された円筒状の外縁部１４と、車軸装着部１２の外周面１２Ａと外縁部１４の内周面１４Ａの間に、ホィールの周方向に等間隔をおいて６つ設けられ、ホイール１０の半径方向に伸縮可能な伸縮部１６と、伸縮部１６毎に設けられ、伸縮部１６の伸縮を制御する伸縮制御部１８と、を備えている。
【００１３】
伸縮部１６は、円筒状に形成されるとともに、隣接する他の伸縮部１６に向かって互いに円弧状に突出している。また、これら伸縮部１６は、隣接する円弧状の突出部１６Ａの間２０に隙間を有するように構成されている。
【００１４】
伸縮制御部１８は、伸縮部１６内に設けられ、外縁が伸縮部１６の円弧状に沿って円柱状に形成されている。伸縮制御部１８の外周面１８Ａのホィール１０の半径方向内側は、伸縮部１６の内周面に固定されており、伸縮制御部１８の外周面１８Ａのホィール１０の半径方向外側とそれに対向する伸縮部１６の内周面１６Ｂの間には、隙間２２が形成されている。この隙間２２は、伸縮制御部１８を形成する円弧の半径方向の幅Ａが同一になるように形成されている。
【００１５】
本実施例に係るキャリアー用ホィールにおいて、車軸装着部１２、外縁部１４、伸縮部１６及び伸縮制御部１８は、柔軟性と剛性を備えた樹脂、例えばポリカーボネイドとガラス繊維の混合物、又はナイロンとガラス繊維の混合物などによって一体成型されている。
【００１６】
以上のように、本実施例に係るキャリアー用ホィールによれば、ホィールの外周面に衝撃が加わると、伸縮部１６の円弧状の突出部がその突出方向に撓み、その撓みによって、衝撃を吸収することができる。また、伸縮部１６は、伸縮制御部１８の外周面のホィールの半径方向外側が伸縮部１６の内周面１６Ａに接するまで撓むことが可能であり、これ以上は撓むことができないので、許容以上の荷重や衝撃が加わっても、伸縮部を破損させず、ホィールの剛性を保つことができる。
【図面の簡単な説明】
【００１７】
【図１】本発明に係るキャリアー用ホィールの実施例の正面図である。
【図２】本実施例に係るキャリアー用ホィールの斜視図である。
【符号の説明】
【００１８】
１０   キャリアー用ホィール
１２   車軸装着部
１４   外縁部
１６   伸縮部
１８   伸縮制御部
２０   隙間
２２   隙間
【図１】
2006103394.tif 000003
【図２】
2006103394.tif 000004